(57)【要約】【課題】基板３０からカメラモジュール２０までの距離を適宜変えることができるコネクタを提供すること。【解決手段】カメラモジュール２０が収容される第１コネクタ１と、基板３０に実装されて第１コネクタ１の外側に摺動可能に係合する第２コネクタ２とを具備し、第１コネクタ１が第１ハウジング３と複数の第１コンタクト４を有し、第２コネクタ２が第１コネクタ１の外側に摺動可能に係合する第２ハウジング９と複数の第２コンタクト１０とを有し、第１コンタクト４がカメラモジュール２０の接続端子と接触する内側接触部４ｄと第１ハウジング３の外側に露出する外側接触部４ｃとを有し、第２コンタクト１０が第１、第２コネクタ１、２の摺動時に外側接触部４ｃと接触する内側接触部１０eと基板３０の接続端子と接続する接続部１０ｃを有する。【選択図】図１
2007265665.tif 000002
【特許請求の範囲】
【請求項１】
接続対象（２０）の接続端子を基板（３０、３０a）の印刷回路に電気的に接続するためのコネクタであって、接続対象（２０）が収容される第１コネクタ（１）と、基板（３０、３０a）に実装されて第１コネクタ（１）の外側に摺動可能に係合する第２コネクタ（２）からなり、第１コネクタ（１）が、接続対象（２０）を収容する収容凹部（３a）が形成された第１ハウジング（３）と、第１ハウジング（３）に固定された複数の第１コンタクト（４）とを有し、第２コネクタ（２）が、第１コネクタ（１）の外側に摺動可能に係合する第２ハウジング（９）と、第２ハウジング（９）に固定された複数の第２コンタクト（１０）とを有し、第１コンタクト（４）は一端側に接続対象（２０）の接続端子と接触する内側接触部（４ｄ）を有し他端側に第１ハウジング（３）の外側に露出する外側接触部（４ｃ）を有し、第２コンタクト（１０）は一端側に第１、第２コネクタ（１）（２）の摺動時に外側接触部（４ｃ）と接触する内側接触部（１０e）を有し他端側に基板（３０、３０a）の印刷回路と接続する接続部（１０ｃ）を有することを特徴とするコネクタ。
【請求項２】
第１コンタクト（４）の外側接触部（４ｃ）と第２コンタクト（１０）の内側接触部（１０e）の一方が、第１、第２コネクタ（１）（２）の摺動方向に長い固定接触片で形成され、他方が片持ちバネ片の自由端側に形成されていることを特徴とする請求項１記載のコネクタ。
【請求項３】
第１コンタクト（４）の外側接触部（４ｃ）が第１、第２コネクタ（１）（２）の摺動方向に長い固定接触片で形成され、第２コンタクト（１０）の内側接触部（１０e）が片持ちバネ片の自由端側に形成されていることを特徴とする請求項２記載のコネクタ。
【請求項４】
固定接触片には、第１、第２コネクタ（１）（２）の摺動時に片持ちバネ片の自由端側接触部と摺動方向に沿って段階的に係合可能な複数段の係合部が形成されていることを特徴とする請求項２又は３記載のコネクタ。
【請求項５】
第２コネクタ（２）は、基板（３０、３０a）への実装時に第２コンタクト（１０）の接続部（１０c）以外が基板（３０、３０a）のコネクタ取付孔（３１、３１a）に挿入可能な形状に形成されていることを特徴とする請求項１、２、３又は４記載のコネクタ。
【請求項６】
接続対象（２０）がカメラモジュールであり、第１ハウジング（３）が上方に開口する収容凹部（３a）を有する枡形に形成され、第２ハウジング（９）が枠形に形成されていることを特徴とする請求項１、２、３、４又は５記載のコネクタ。
【発明の詳細な説明】
【技術分野】
【０００１】
本発明は、カメラモジュールやプラグのような接続対象を印刷回路基板（以下、単に基板という。）の印刷回路に電気的に接続するためのコネクタ（例えばカメラモジュール用ソケット）に関するものである。
【背景技術】
【０００２】
従来のカメラモジュール用ソケットは、例えば、カメラモジュールを収容するための収容凹部が形成された絶縁ハウジング（以下単にハウジングという。）と、このハウジングに固定された複数のコンタクトとを有し、収容凹部に収容保持されたカメラモジュールの接続端子にコンタクトの接触部を弾性接触させ、コンタクトの接続部を基板の印刷回路に半田接続することにより、カメラモジュールの接続端子を基板の印刷回路と電気的に接続していた（例えば、特許文献１、２参照）。
【特許文献１】特開２００４−６３４２５
【特許文献２】特開２００４−６３７８７
【発明の開示】
【発明が解決しようとする課題】
【０００３】
しかしながら、前述の従来例では、カメラモジュール用ソケットを実装した基板を電子機器（携帯電話機や携帯端末など）に取り付ける場合、基板の表面からカメラモジュールの頂面までの寸法が電子機器毎に規制されているため、同じカメラモジュールを組み込む電子機器であっても、基板の表面からカメラモジュールの頂面までの距離（寸法）が異なる電子機器に対して、それぞれに対応した別個のカメラモジュール用ソケットが必要になるという問題点があった。
接続対象がカメラモジュール以外（例えばプラグ）のコネクタ（例えばジャック）の場合についても、コネクタを実装する基板の表面から接続対象の頂面までの距離が規制されているものについては、同様の問題点があった。
【０００４】
本発明は上述の問題点を鑑みなされたもので、基板に実装した場合において、基板から接続対象までの距離を適宜変えることのできるコネクタを提供することを目的とするものである。
【課題を解決するための手段】
【０００５】
請求項１記載の発明は、接続対象の接続端子を基板の印刷回路に電気的に接続するためのコネクタであって、前記接続対象が収容される第１コネクタと、前記基板に実装されて前記第１コネクタの外側に摺動可能に係合する第２コネクタとからなり、前記第１コネクタが、前記接続対象を収容する収容凹部が形成された第１ハウジングと、前記第１ハウジングに固定された複数の第１コンタクトとを有し、前記第２コネクタが、前記第１コネクタの外側に摺動可能に係合する第２ハウジングと、前記第２ハウジングに固定された複数の第２コンタクトとを有し、前記第１コンタクトは一端側に前記接続対象の接続端子と接触する内側接触部を有し他端側に前記第１ハウジングの外側に露出する外側接触部を有し、前記第２コンタクトは一端側に前記第１、第２コネクタの摺動時に前記第１コンタクトの外側接触部と接触する内側接触部を有し他端側に前記基板の印刷回路と接続する接続部を有することを特徴とする。
【０００６】
請求項２記載の発明は、請求項１記載の発明において、第１コンタクトの外側接触部と第２コンタクトの内側接触部の一方が第１、第２コネクタの摺動方向に長い固定接触片で形成され、他方が片持ちバネ片の自由端側に形成されていることを特徴とする。
【０００７】
請求項３記載の発明は、請求項２記載の発明において、第１コンタクトの外側接触部が第１、第２コネクタの摺動方向に長い固定接触片で形成され、第２コンタクトの内側接触部が片持ちバネ片の自由端側に形成されていることを特徴とする。
【０００８】
請求項４記載の発明は、請求項２又は３記載の発明において、固定接触片には、第１、第２コネクタの摺動時に片持ちバネ片の自由端側接触部と摺動方向に沿って段階的に係合可能な複数段の係合部が形成されていることを特徴とする。     
【０００９】
請求項５記載の発明は、請求項１、２、３又は４記載の発明において、第２コネクタが、基板への実装時に第２コンタクトの接続部以外が前記基板のコネクタ取付孔に挿入可能な形状に形成されていることを特徴とする。
【００１０】
請求項６記載の発明は、請求項１、２、３、４又は５記載の発明において、接続対象がカメラモジュールであり、第１ハウジングが上方に開口する収容凹部を有する枡形に形成され、第２ハウジングが枠形に形成されていることを特徴とする。
【発明の効果】
【００１１】
請求項１記載の発明は、コネクタを、接続対象が収容される第１コネクタと基板に実装される第２コネクタとで形成し、第２コネクタの第２ハウジングが第１コネクタの外側に摺動可能に係合するとともに、この摺動時に第２コネクタの第２コンタクトの内側接触部が第１コネクタの第１コンタクトの外側接触部と接触するように形成したので、このコネクタを基板に実装する場合に、基板から接続対象までの距離を適宜可変することができる。このため、基板から接続対象までの距離が異なる複数の電子機器に適応可能なコネクタを提供することができる。
【００１２】
請求項２記載の発明は、請求項１記載の発明において、第１コンタクトの外側接触部と第２コンタクトの内側接触部の一方が第１、第２コネクタの摺動方向に長い固定接触片で形成され、他方が片持ちバネ片の自由端側に形成されているので、第１コンタクトの外側接触部と第２コンタクトの内側接触部の形状を簡単にすることができる。
【００１３】
請求項３記載の発明は、請求項２記載の発明において、第１コンタクトの外側に露出する第１コンタクトの外側接触部を固定接触片で形成し、第２コネクタの内側に位置する第２コンタクトの内側接触部を片持ちバネ片の自由端側に形成したので、第２コネクタの取扱い時に第２コンタクトの内側接触部に不要な力が加わってバネ性が損なわれるのを防止することができるとともに、第１、第２コネクタの取扱いを容易にすることができる。
【００１４】
請求項４記載の発明は、請求項２又は３記載の発明において、固定接触片に第１、第２コネクタの摺動時に片持ちバネ片の自由端側接触部と段階的に係合可能な複数段の係合部が形成されているので、コネクタを基板に実装する場合に、基板から接続対象までの距離を段階的に可変することができる。
【００１５】
請求項５記載の発明は、請求項１、２、３又は４記載の発明において、第２コネクタは、基板への実装時に第２コンタクトの接続部以外が基板のコネクタ取付孔に挿入可能な形状に形成されいるので、第２コネクタの上下を逆にせずに第２コンタクトの接続部を基板の表面側と裏面側のいずれの側でも印刷回路に半田接続することができるとともに、第２コネクタの上下を逆にして第２コンタクトの接続部を基板の表面側と裏面側のいずれの側でも印刷回路に接続することができる。
【００１６】
請求項６記載の発明は、請求項１、２、３、４又は５記載の発明において、接続対象をカメラモジュールとし、第１ハウジングが上方に開口する収容凹部を有する枡形に形成され、第２ハウジングが枠形に形成されているので、本発明を基板に実装されるカメラモジュール用ソケットに利用することができ、基板表面からカメラモジュールの頂面までの距離を適宜可変することができる。例えば、カメラ付き携帯電話機に利用する場合、同一のカメラモジュール用ソケットを、基板表面からカメラモジュールの頂面までの距離が異なる複数のカメラ付き携帯電話機に利用することができる。
【実施例】
【００１７】
図１〜図１０は本発明の一実施例を示すもので、これらの図において、２０は接続対象の一例としてのカメラモジュール、１はカメラモジュール２０が収容される第１コネクタ、３０は印刷回路基板（以下単に基板という）、２は基板３０に実装される第２コネクタ、４０は携帯電話機（電子機器の一例）のケースである。
【００１８】
第１コネクタ１は、図３（a）に示すように、カメラモジュール２０を収容するための収容凹部３aが形成された第１ハウジング３と、第１ハウジング３に固定された複数の第１コンタクト４と、第１ハウジング３に固定されたシールド部材５、５、６、７、８とで構成されている。
【００１９】
第１ハウジング３は絶縁性合成樹脂で枡形に成形され、図４にも示すように、略正方形板状の底板３ｂと、底板３ｂの４辺から一体に立設された側板３ｃ、３ｄ、３ｃ、３ｆとを具備し、上方を開口した収容凹部３aが形成されている。
【００２０】
底板３ｂの内側面には、所定ピッチで複数の第１コンタクト４を取り付けるためのコンタクト収容溝３ｇが対向する側板３ｃ、３ｃに沿って２列に凹設されている。
各コンタクト収容溝３ｇは、平面視において、側板３ｃ、３ｃの一側から他側に向けて長く、中間点前まで達する細長状に形成されている。
底板３ｂの内側面には、側板３ｄ、３ｆ側の縁辺に沿って複数のシールド 係止孔３ｌ〜３ｌが形成されている。
【００２１】
側板３ｃ、３ｃの下部には、２列のコンタクト収容溝３ｇ〜３ｇ、３ｇ〜３ｇに連通するコンタクト挿入口３ｈ〜３ｈ、３ｈ〜３ｈが形成されている。
側板３ｃ、３ｃの中部には、その両側に位置してコンタクト逃げ孔３ｍ，３ｍ、３ｍ，３ｍが形成されている。
側板３ｃ、３ｃの外側面には、各コンタクト挿入口３ｈ〜３ｈの上部に位置してコンタクト係止孔３ｊ〜３ｊが形成されている。
側板３ｃ、３ｃの外側面の上部及び両側部と内側面には、頂面を跨いでシールド案内溝３ｎ、３ｎが形成され、このシールド案内溝３ｎ、３ｎの外側面上部の中央にはシールド係止突起３ｐ、３ｐが突設され、シールド案内溝３ｎ、３ｎの内側面にはシールド逃げ溝３ｒ〜３ｒ、３ｒ〜３ｒが形成されている。
【００２２】
側板３ｄの内側面及び外側面には頂面を跨いでシールド案内溝３ｓが形成され、内側のシールド案内溝３ｓにはシールド逃げ溝３ｔ〜３ｔが形成されている。
側板３ｄの両側であって外側のシールド案内溝３ｓの両側突部には、この外側のシールド案内溝３ｓ側と下側に開口したシールド 係止溝３u、３uが形成されている。
側板３ｆの中央部には頂面側を開口した位置決め用の切欠部３ｖが形成されている。
側板３ｆの内側面及び外側面には、頂面を跨いでシールド案内溝３ｗが形成され、内側のシールド案内溝３ｗにはシールド逃げ溝３ｘ〜３ｘ（図示省略）が形成されている。
側板３ｆの両側であって外側のシールド案内溝３ｗの両側突部には、この外側のシールド案内溝３ｗ側と下側に開口したシールド 係止溝３ｙ、３ｙが形成されている。
【００２３】
第１コンタクト４は、燐青銅のような導電性金属板を帯状に打ち抜いた後、図４に示すように折り曲げて形成されたもので、第１ハウジング３のコンタクト収容溝３ｇに圧入、係止される固定片４aと、固定片４aの一端側から折り返されて先端側が収容凹部３a内に位置するように片時支持されたバネ片状の内側接触部４ｂと、固定片４aの他端側から立設された外側接触部４ｃとを具備し、内側接触部４ｂの先端部には補強ビートで補強された接触部４ｄが形成され、外側接触部４ｃの先端部にはコンタクト係止孔３ｊに係止する係止爪４eが折り曲げ形成されている。
【００２４】
シールド部材５、５、６、７は導電性金属板の打ち抜き、折り曲げ加工で形成されたもので、シールド部材５、５は第１ハウジング３の一方の対向する側板３ｃ、３ｃに固定され、シールド部材６、７は第１ハウジング３の他方の対向する側板３ｄ、３ｆに固定されている。
【００２５】
シールド部材５は、図５にも示すように、側板３ｃの内側面を覆う長方形板状の内側片５aと、内側片５aの上縁から折り返されて側板３ｃの頂面から外側面上部を覆う折返片５ｂと、折返片５ｂの両端から外側へ略直角に折り曲げた後に下方へ延設された縦長の外側接触片５ｃ、５ｃを具備している。
内側片５aには、上側を基部として切り起こされ自由端側が収容凹部３a内に突出する抜止片５ｄ、５ｄが形成されている。
内側片５a及び折返片５ｂには、折返片５ｂ側を基部として切り起こされ、自由端側が側板３ｃの頂面を経たのち内側面に沿って下向する接触片５e、５ｆ、５e、５ｆが形成され、接触片５e、５ｆ、５e、５ｆの先端側には、頂部が収容凹部３a内に突出する山形状の接触部が形成されている。
折返片５ｂの中央部には、第１ハウジング３のシールド係止突起３ｐに係止する係止孔５ｇが形成されている  。
【００２６】
シールド部材６は、図６にも示すように、側板３ｄの内側面を覆う長方形板状の内側片６aと、内側片６aの上縁から折り返されて側板３ｄの頂面及び外側面を覆う外側片６ｂとを具備している。
内側片６a及び外側片６ｂには、外側片６ｂ側を基部として切り起こされ、自由端側が側板３ｄの頂面を経たのち内側面に沿って下向し収容凹部３a内へ突出する抜止片６ｃ〜６ｃが形成されている。
内側片６aの下縁には、シールド係止孔３ｌ〜３ｌに係合、係止する係止突片６ｄ〜６ｄが突設している。
外側片６ｂには外側へ膨出する膨出部６e、６eが形成されている。
【００２７】
シールド部材７は、図７にも示すように、側板３ｆの内側面を覆う長方形板状の内側片７aと、内側片７aの上縁から折り返されて側板３ｆの頂面及び外側面を覆う外側片７ｂとを具備している。
内側片７a及び外側片７ｂには、外側片７ｂ側を基板として切り起こされ、自由端側が側板３ｆの頂面を経たのち内側面に沿って下向し、収容凹部３a内へ突出する抜止片７ｃ、７ｃが形成されている。
内側片７aの下縁には、シールド係止孔３ｌ〜３ｌに係合、係止する 係止突片７ｄ〜７ｄが突設している。
外側片７ｂには、外側へ膨出する膨出部７e、７ｃが形成されている。
内側片７a及び外側片７ｂには、位置決め用の切欠部７ｆが形成されている。
【００２８】
シールド部材８は、導電性金属板の打ち抜き、折り曲げ加工で略Ｕ字状に形成されたもので、図８にも示すように、第１ハウジング３の底板３ｂの外側面を覆う正方形板状の底側片８aと、底側片８aの一端側から略垂直に立設された長方形板状の側片８ｂと、側片８ｂの先端縁から内側へ折り返されてシールド部材６の外側面に接触する接触片８ｃと、底側片８aの他側縁から略垂直に立設された長方形板状の側片８ｄと、側片８ｄの先端縁から内側へ折り返されてシールド部材７の外側面に接触する接触片８eとを具備している。
接触片８ｃ、８eの両側には、シールド係止溝３u、３ｙに係合、係止する係止突片８ｆ、８ｆ、８ｇ、８ｇが突設されている。
側片８ｂの外側面には、縦長の位置決め突部８ｈが膨出形成されている。  
【００２９】
第２コネクタ２は、図３（ｂ）に示すように、第１コネクタ１の外側に摺動可能に係合する第２ハウジング９と、第２ハウジング９に固定された複数の第２コンタクト１０と、第２ハウジング９に固定されたシールド部材１１、１１とで構成されている。
【００３０】
第２ハウジング９は絶縁性合成樹脂で成形され、図９にも示すように、第１コネクタ１との摺動係合時に側板３ｃ、３ｄ、３ｃ、３ｆの外側に位置する略長方形板状の側板９ｃ、９ｄ  ９ｃ、９ｆを一体に連設して中央に係合空間９aを形成する正方形枠形に形成されている。
【００３１】
側板９ｃには、摺動係合時に第１コネクタ１の第１コンタクト４〜４の外側接触部４ｃ〜４ｃとその両隣りの外側接触片５ｃ、５ｃとに接触する複数の第２コンタクト１０を取り付けるためのコンタクト取付部９ｇ〜９ｇが形成されている。
コンタクト取付部９ｇは、側板９ｃの上下方向に沿って貫通するコンタクト取付溝９ｈ及びコンタクト収容凹部９ｊで形成され、コンタクト取付溝９ｈとコンタクト収容凹部９ｊは上部で連通している。
コンタクト収容凹部９ｊは側板９ｃの頂面と内側面を開口した凹溝状に形成されている。  
コンタクト収容凹部９ｊ内には、図１に示すように、第２コンタクト１０に所定の予圧を付与するための変位規制部９ｑが設けられている。  
側板９ｃの上面にはシールド係合溝９ｋが形成されている。
【００３２】
側板９ｄの内側面の略中央部には、第１，第２コネクタ１、２の相対的な摺動時に第１コネクタ１の位置決め突部８ｈと係合する位置決め凹部９ｌが形成されている。
側板９ｄの両側の外側面には、シールド案内段部９ｍ、９ｍが形成されている。
側板９ｄの両側の頂面及び内側面には、シールドコンタクト係合溝９ｎ、９ｎが形成され、シールドコンタクト係合溝９ｎ、９ｎの内側面側はシールドコンタクトの逃げ溝を兼ねている。
側板９ｄの両側の頂面であって、位置決め凹部９ｌとシールドコンタクト係合溝９ｎ、９ｎの間には、シールド案内段部９ｍ、９ｍに連続するシールド案内溝９ｐ、９ｐが形成され、このシールド案内溝９ｐ、９ｐにはシールド係止孔９ｒ、９ｒが形成されている。
【００３３】
側板９ｆの両側の外側面には、シールド案内段部９ｓ、９ｓが形成されている。
側板９ｆの両側の頂面及び内側面には、シールドコンタクト係合溝９ｔ、９ｔが形成され、シールドコンタクト係合溝９ｔ、９ｔの内側面側はシールドコンタクトの逃げ溝を兼ねている。
側板９ｆの両側の頂面であって、シールドコンタクト係合溝９ｔ、９ｔより内側の部分には、シールド案内段部９ｓ、９ｓに連続するシールド案内溝９u、９uが形成され、このシールド 案内溝９u、９uにはシールド係止孔９ｖ、９ｖが形成されている。
【００３４】
第２コンタクト１０は、燐青銅のような導電性金属板を帯状に打ち抜いた後、図９に示すように折り曲げて形成されたもので、第２ハウジング９のコンタクト取付溝９ｈに圧入、係止される固定片１０ａと、固定片１０ａの一端側から折り返されて先端側が係合空間９a内に位置するように片持支持されたバネ片状の内側接触片１０ｂと、固定片１０ａの他端側に略垂直に連設された外側接続片１０ｃとを具備し、内側接触片１０ｂの先端側には、頂部が係合空間９a内に突出する山形の接触部１０eが形成されている。
内側接触片１０ｂの先端部は、第１コネクタ１の非挿入時において、第２ハウジング９の変位規制部９ｑ（図１に図示）に当接し、内側接触片１０ｂに予圧を付与している。
【００３５】
シール部材１１、１１は導電性金属板の打ち抜き、折り曲げ加工で形成されたもので、一方のシールド部材１１は第２ハウジング９の一方の側板９ｃと側板９ｄ及び側板９ｆの一側（図９の手前側）に固定され、他方のシールド部材１１は第２ハウジング９の他方の側板９ｃと側板９ｄ及び側板９ｆの他側（図９奥側）に固定されている。
【００３６】
シールド部材１１は、図１０に示すような略横長Ｕ字状に形成され、第２ハウジング９の側板９ｃの外側面上部を覆う長方形板状の外側片１１ｃと、外側片１１ｃの両端に略直角に連設されて側板９ｄ、９ｆの一側の外側面上部を覆う矩形板状の外側片１１ｄ、１１ｄとを具備し、この外側片１１ｄ、１１ｄはシールド案内段部９ｍ、９ｓに係合する。
外側片１１ｃの上縁には、側板９ｃのシールド係合溝９ｋに係合する係合片１１eが折り曲げ形成され、外側片１１ｄ、１１ｄの上縁には、側板９ｄ、９ｆのシールド係合溝９ｎ、９ｔに係合するシールド接触片１１ｇ、１１ｇが折り曲げ形成されるとともに、シールド 係止孔９ｒ、９ｖに 係止する 係止爪１１ｈ、１１ｈが形成されている。
シールド接触片１１ｇ、１１ｇの先端側には、頂部が係合空間９a内に突出する山形の接触部が形成されている。
外側片１１ｄ、１１ｄの下縁にはシールド接続片１１ｊ、１１ｊが折り曲げ形成されている。
【００３７】
つぎに、図１を用いて本発明の作用を説明する。
カメラ付き携帯電話機において、基板３０の表面からカメラモジュール２０の頂面までの高さが図１（a）に示すようなH１に規制されている場合にも、同図（ｂ）に示すようなH２（H２はH１より高い）に規制されている場合にも、本発明によるコネクタが適応できることを説明する。   
【００３８】
まず、始めに、基板３０の表面からカメラモジュール２０の頂面までの高さがH１の場合について説明する。
（１）基板３０を下ケース４１にビス止め固定した後、図１（a）に示すように、基板３０のコネクタ取付孔３１に第２コネクタ２を挿入し、第２コンタクト１０〜１０の外側接続片１０ｃ〜１０ｃ及びシールド部材１１、１１のシールド接続片１１ｊ〜１１ｊを基板３０の印刷回路の対応する接続パッドに半田接続する。このとき、第２コンタクト１０〜１０のうちの両端に位置する第２コンタクト１０、１０は接地用となり、残りは信号用となっている。
【００３９】
（２）ついで、収容凹部３aにカメラモジュール２０が収容された第１コネクタ１を、第２コネクタ２の係合空間９aに摺動可能に係合し、第１コネクタ１の底面を下ケース４１の位置決め突起４２、４２に当接させて、基板３０の表面からカメラモジュール２０の頂面までの高さがH１に位置決めされる。このとき、第２コンタクト１０〜１０の内側接触片１０ｂ〜１０ｂの接触部が対応する第１コンタクト４〜４の外側接触部４ｃ〜４ｃに弾性接触し、さらにシールド部材１１、１１のシールド接続片１１ｇ〜１１ｇの接触部がシールド部材８を介してシールド部材５、５、６、７に接続することにより、基板３０の印刷回路とカメラモジュール２０が電気的に接続される。
【００４０】
（３）ついで、下ケース４１に上ケース４３を係合して固定する。このとき、上ケース４３の位置決め突起４５、４５が第１コネクタ１の上端面に当接し、第１コネクタ１がケース４０によって安定的に保持される。上ケース４３には、カメラモジュール２０のレンズに外光を案内する透明保護板４７（例えばガラス板）が形成されている。
【００４１】
つぎに、基板３０の表面からカメラモジュール２０の頂面までの高さがＨ２に規制される場合について説明する。
（１）基板３０aを下ケース４１aにビス止め固定した後、図１（ｂ）に示すように、基板３０aのコネクタ取付孔３１aに第２コネクタ２を挿入し、第２コンタクト１０〜１０の外側接続片１０ｃ〜１０ｃ及びシールド部材１１、１１のシールド接続片１１ｊ〜１１ｊを基板３０aの印刷回路の対応する接続パッドに半田接続する。    
【００４２】
（２）ついで、カメラモジュール２０が収容された第１コネクタ１を第２コネクタ２の係合空間９aに摺動可能に係合し、第１コネクタ１の底面を下ケース４１aの位置決め突起４２a、４２aに当接させて、基板３０aの表面からカメラモジュール２０の頂面までの高さがH２に位置決めされる。このとき、第１コネクタ１と第２コネクタ２が摺動可能に係合しているので、第１コネクタ１の第２コネクタ２に対する係合位置は、図１（a）の場合よりも下方に位置するように調整される。また、図１（a）の場合と同様に、第２コンタクト１０〜１０の内側接触片１０ｂ〜１０ｂの接触部が第１コンタクト４〜４の外側接触部４ｃ〜４ｃに弾性接触し、シールド接続片１１ｇ〜１１ｇの接触部がシールド部材８を介してシールド部材５、５、６、７に接続することにより、基板３０の印刷回路とカメラモジュール２０が電気的に接続される。
【００４３】
（３）ついで、下ケース４１aに上ケース４３aを係合、固定し、上ケース４３aの位置決め突起４５a、４５aが第１コネクタ１の上端面に当接し、第１コネクタ１がケース４０aによって安定的に保持される。４７aは透明保護板である。
【００４４】
前記実施例では、第２コネクタ２を基板３０（３０a）の表面側に実装する場合について説明したが、本発明はこれに限るものでなく、第２コネクタ２を基板３０（３０a）の裏面側に実装する場合についても利用することができる。
例えば、図１１（a）（ｂ）に示すように、第２コネクタ２の上下を逆にし、第２コンタクト１０〜１０の外側接続片１０ｃ〜１０ｃと、シールド部材１１、１１のシールド接続片１１ｊ、１１ｊ、１１ｊ、１１ｊとを、基板３０（３０a）の裏面側で印刷回路に半田接続する場合（リバース実装する場合）についても利用することができる。
この場合、第１コネクタ１と第２コネクタ２の摺動係合位置を適宜に調整することにより、基板３０（３０a）の裏面からカメラモジュール２０の頂面までの高さを、図１１（a）に示すようなH３とすることができ、又は同図（ｂ）に示すようなH４（H４はH３より高い。）とすることができる。
【００４５】
前記実施例では、第２コネクタを基板の表面側に実装する場合には第２コンタクトの接続部を基板の表面側で印刷回路に半田接続し、第２コネクタを基板３０の裏面側に実装する場合には第２コネクタの上下を逆にして第２コンタクトの接続部を基板の裏面側で印刷回路に半田接続するようにしたが、本発明はこれに限るものではない。
第２コネクタが、基板への実装時に第２コンタクトの接続部以外が基板のコネクタ取付孔に挿入可能な形状に形成されている場合には、第２コネクタの上下を逆にせずに第２コンタクトの接続部を基板の裏面側で印刷回路に接続したり、第２コネクタの上下を逆にして第２コンタクトの接続部を基板の表面側で印刷回路に接続することができる。
例えば、図１１（a）（ｂ）に示すような上下を逆にした第２コネクタ２をコネクタ取付孔３１（３１ａ）に対して上側から挿入し、第２コンタクト１０〜１０の外側接続片１０ｃ〜１０ｃの下面側と、シールド部材１１、１１のシールド接続片１１ｊ、１１ｊ、１１ｊ、１１ｊの下面側とを、基板３０（３０a）の上面側で印刷回路に半田接続する場合についても利用することができる。
【００４６】
前記実施例では、調整可能な高さの自由度を高めるために、第１コネクタ１と第２コネクタ２が無段階に摺動可能に係合する場合について説明したが、本発明はこれに限るものでなく、第１コネクタ１と第２コネクタ２が複数段階に摺動可能に係合する場合についても利用することができる。
例えば、図１２に示すように、第１コネクタ１の第１コンタクト４の外側接触部４ｃに３段の係合凹部４ｋ〜４ｋを形成し、この係合凹部４ｋ〜４ｋに第２コネクタ２の第２コンタクト１０の内側接触片１０ｂの接触部１０eが３段階に摺動可能に係合する場合についても利用することができる。
【図面の簡単な説明】
【００４７】
【図１】本発明によるコネクタの一実施例を示すもので、（a）は高さがH１に規制された場合の要部断面図、（ｂ）は高さがH２に規制された場合の要部断面図である。
【図２】係合状態にある第１、第２コネクタ１、２の斜視図である。
【図３】非係合状態にある第１、第２コネクタを示すもので、（a）は第１コネクタ１の斜視図、（ｂ）は第２コネクタ２の斜視図である。
【図４】第１コネクタ１の第１ハウジング３と第１コンタクト４を示す斜視図である。
【図５】第１コネクタ１のシールド部材５を示すもので、（a）は平面図、（ｂ）は正面図、（ｃ）は斜視図である。
【図６】第１コネクタ１のシールド部材６を示すもので、（a）は平面図、（ｂ）は正面図、（ｃ）は斜視図である。
【図７】第１コネクタ１のシールド部材７を示すもので、（a）は平面図、（ｂ）は正面図、（ｃ）は斜視図である。
【図８】第１コネクタ１のシールド部材８を示すもので、（a）は平面図、（ｂ）は正面図、（ｃ）は斜視図である。
【図９】第２コネクタ２の第２ハウジング９と第２コンタクト１０を示す斜視図である
【図１０】第２コネクタ２のシールド部材１１を示すもので、（a）は平面図、（ｂ）は正面図、（ｃ）は斜視図である。
【図１１】本発明によるコネクタの第２コネクタ２を基板３０（３０a）の裏面側に実装した場合を示すもので、（a）は高さがH３に規制された場合の要部断面図、（ｂ）は高さがH４に規制された場合の要部断面図である。
【図１２】本発明によるコネクタの他の実施例を示すもので、（a）は要部断面図、（ｂ）は（a）中の第１コンタクト４の斜視図である。
【符号の説明】
【００４８】
１…第１コネクタ
２…第２コネクタ
３…第１ハウジング
３a…収容凹部
４…第１コネクタ
４ｃ…外側接触部
４ｄ…内側接触部
９…第２ハウジング
１０…第２コンタクト
１０ｃ… 接続部      
１０e…内側接触部      
２０…カメラモジュール（接続対象の一例）
３０、３０a…基板
【図１】
2007265665.tif 000003
【図２】
2007265665.tif 000004
【図３】
2007265665.tif 000005
【図４】
2007265665.tif 000006
【図５】
2007265665.tif 000007
【図６】
2007265665.tif 000008
【図７】
2007265665.tif 000009
【図８】
2007265665.tif 000010
【図９】
2007265665.tif 000011
【図１０】
2007265665.tif 000012
【図１１】
2007265665.tif 000013
【図１２】
2007265665.tif 000014